(57)【特許請求の範囲】
【請求項１】
無線による伝送路を介して、他の通信装置によって該伝送路の通信速度に応じて画質が制御された画像と、該他の通信装置によって該伝送路の通信速度に応じて制御された画質を示す情報とを受信する受信手段と、
前記受信手段で受信された前記画像を表示媒体に表示させる表示制御手段と、
前記受信手段で受信された前記情報に基づき、前記他の通信装置によって前記伝送路の通信速度に応じて制御された画質を示す画質表示画像を生成する生成手段と、
前記表示制御手段が前記表示媒体に表示させる前記画像に対して、前記画質表示画像を合成する合成手段と
を有する
ことを特徴とする情報処理装置。
【請求項２】
前記情報は、前記他の通信装置によって圧縮符号化を行い画質を制御した際の圧縮率と、前記他の通信装置によって間引きを行い画質を制御した際の間引き率とのうち、少なくとも一方を含む
ことを特徴とする請求項１に記載の情報処理装置。
【請求項３】
前記生成手段は、
当該情報処理装置が仕様上の最大速度で通信可能なデータレートを示す情報と、当該情報処理装置が前記伝送路において現在の通信速度で通信可能なデータレートを示す情報と、をさらに含む前記画質表示画像を生成する
ことを特徴とする請求項１または請求項２に記載の情報処理装置。
【請求項４】
受信手段が、無線による伝送路を介して、他の通信装置によって該伝送路の通信速度に応じて画質が制御された画像と、該他の通信装置によって該伝送路の通信速度に応じて制御された画質を示す情報とを受信する受信ステップと、
表示制御手段が、前記受信ステップで受信された前記画像を表示媒体に表示させる表示制御ステップと、
生成手段が、前記受信ステップで受信された前記情報に基づき、前記他の通信装置によって前記伝送路の通信速度に応じて制御された画質を示す画質表示画像を生成する生成ステップと、
合成手段が、前記表示制御ステップが前記表示媒体に表示させる前記画像に対して、前記画質表示画像を合成する合成ステップと
を有する
ことを特徴とする情報処理方法。
【発明の詳細な説明】
【技術分野】
【０００１】
本発明は、無線通信で送信された画像データを受信する情報処理装置および情報処理方法に関する。
【背景技術】
【０００２】
従来から、会議などの場において、パーソナルコンピュータ（以下、ＰＣと略称する）といった情報処理装置の画面情報をプロジェクタを使ってスクリーンに投影することで、その場の出席者と情報の共有が行われている。
【０００３】
また、従来では、多くの場合、情報処理装置とプロジェクタは、有線接続されていた。その際、例えば、プロジェクタおよび情報端末とを、それぞれに設けられたＤＶＩ(Digital  Visual  Interface)端子といった画像入出力端子によりケーブルで接続する。そして、ケーブルが届く位置で情報端末を操作しながら、情報端末から出力される画面情報の画像データによる画像を、プロジェクタによりスクリーンに映し出す。
【０００４】
さらに、近年、無線通信の通信速度が高速化され、プロジェクタと情報端末との接続を無線化する技術が実用化されていることも、既に知られている。
【０００５】
一般に、画像データのデータ量は膨大なため、無線通信で画像を伝送する場合、高速な無線伝送レートを維持できる無線方式が必要となる。また、画像データレートより無線伝送レートの方が低い場合は、画像データレートを無線伝送レートに合わせて下げて、細い無線伝送路で画像の伝送を行うことになる。画像データレートを下げる方法の例としては、画像フレーム毎の画像データの圧縮符号化、例えば６０フレーム／秒のフレームレートにおける画像フレームの間引き、画像フレーム間の差分情報のみの伝送などが考えられる。
【０００６】
例えば差分情報を伝送する方法は、静止画像を中心とした画像データを伝送する場合には、差分情報が１画像フレームのデータ量と比べて極めて小さくなる可能性があり、伝送レートが無線伝送路の容量以下に低くなることが期待できる。しかしながら、例えばＰＣ上のディスプレイの全画面表示で動画像を表示し、この動画像をプロジェクタで表示する場合などは、差分情報が略全画面の画像データとなってしまう可能性がある。この場合、そのままではデータ量が膨大なため、さらに圧縮符号化によりデータ量を少なくして、無線伝送路に対して送信する必要がある。
【０００７】
無線通信によりプロジェクタとＰＣとを接続する場合、無線チャネルにおける伝送品質が劣化すると、プロジェクタにより投影される画像の品質が低下してしまったり、動画の停止、画像自体の表示の停止などが発生するおそれがある。
【０００８】
特許文献１には、表示装置と制御装置と画像送信装置とで構成され、画像送信装置から無線通信により送信された画像データを、制御装置を介して表示装置が受信して表示するワイヤレス画像送受信システムが開示されている。この特許文献１では、通信状態を示すパラメータとしてＲＳＳＩ（電波受信強度）を表示装置の画面に表示させ、無線通信状況に合わせた通信形態に自動的に切り替えることができるようにされている。
【発明の概要】
【発明が解決しようとする課題】
【０００９】
プロジェクタで表示する画像における表示の停止や動画の停止を防止するためには、無線伝送路が細いほど、また、画像データが多いほど、送信する画像データの圧縮率や間引き率を上げる必要があり、表示される画像の画質が低下してしまう。この場合、プロジェクタにより表示される画像のみからでは、表示される画像における画質の低下が、情報端末側の元々の画像の画質の劣化によるものか、無線伝送路の品質が悪いために施した圧縮符号化やフレーム間引きによるものかの判別が困難であり、混乱を来してしまうおそれがあるという問題点があった。
【００１０】
また、上述した特許文献１は、表示装置の画面に対して、受信電波強度を表示させているため、表示装置側の画面表示から無線伝送路の品質を知ることができる。しかしながら、受信電波強度の表示だけでは、無線伝送路の品質による表示画質に対する影響を把握することができないという問題点があった。
【００１１】
本発明は、上記に鑑みてなされたものであって、無線通信で送信された画像データによる画像の品質変動の原因を容易に把握可能とする。
【課題を解決するための手段】
【００１２】
上述した課題を解決し、目的を達成するために、本発明は、無線による伝送路を介して、他の通信装置によって伝送路の通信速度に応じて画質が制御された画像と、他の通信装置によって伝送路の通信速度に応じて制御された画質を示す情報とを受信する受信手段と、受信手段で受信された画像を表示媒体に表示させる表示制御手段と、受信手段で受信された情報に基づき、他の通信装置によって伝送路の通信速度に応じて制御された画質を示す画質表示画像を生成する生成手段と、表示制御手段が表示媒体に表示させる画像に対して、画質表示画像を合成する合成手段とを有することを特徴とする。
【００１３】
また、本発明は、受信手段が、無線による伝送路を介して、他の通信装置によって伝送路の通信速度に応じて画質が制御された画像と、他の通信装置によって伝送路の通信速度に応じて制御された画質を示す情報とを受信する受信ステップと、表示制御手段が、受信ステップで受信された画像を表示媒体に表示させる表示制御ステップと、生成手段が、受信ステップで受信された情報に基づき、他の通信装置によって伝送路の通信速度に応じて制御された画質を示す画質表示画像を生成する生成ステップと、合成手段が、表示制御ステップが表示媒体に表示させる画像に対して、画質表示画像を合成する合成ステップとを有することを特徴とする。
【発明の効果】
【００１４】
本発明によれば、無線通信で送信された画像データによる画像の品質変動の原因が容易に把握可能となるという効果を奏する。
【図面の簡単な説明】
【００１５】
【図１】図１は、本発明の実施形態に適用可能な無線プロジェクタシステムの一例の利用形態を概略的に示す略線図である。
【図２】図２は、本発明の実施形態に適用可能な無線プロジェクタシステムの構成を概略的に示すブロック図である。
【図３】図３は、無線アダプタの機能を説明するための一例の機能ブロック図である。
【図４】図４は、プロジェクタにおける情報処理部の機能を説明するための一例の機能ブロック図である。
【図５】図５は、無線アダプタにおける一例の通信処理を示すフローチャートである。
【図６】図６は、プロジェクタにおける一例の通信処理を示すフローチャートである。
【図７】図７は、合成部でフレーム画像に対して画質表示画像が合成されてスクリーンに投影された例を示す略線図である。
【図８】図８は、画質表示画像のバリエーションの例を示す略線図である。
【図９】図９は、本発明の実施形態に適用可能なプロジェクタの一例の構成を示すブロック図である。
【発明を実施するための形態】
【００１６】
以下に添付図面を参照して、本発明に係る情報処理装置の一実施形態を詳細に説明する。図１は、本発明の実施形態に適用可能な無線プロジェクタシステムの一例の利用形態を概略的に示す。無線プロジェクタシステムは、情報端末としてのパーソナルコンピュータ（以下、ＰＣと略称する）１０と、このＰＣ１０と所定の方式の無線通信による通信が可能とされた、情報処理装置としてのプロジェクタ２０とを含む。
【００１７】
ＰＣ１０は、例えばディスプレイの表示画面と同じ画像を表示する画像データを所定の方式で変調し、無線通信により電波としてプロジェクタ２０に対して送信する。プロジェクタ２０は、ＰＣ１０から送信された電波を受信する。そして、受信した電波を復調して画像データを復元し、復元された画像データによる画像を、光学系によりスクリーン３０といった表示媒体に表示させる。
【００１８】
図２は、本実施形態に適用可能な無線プロジェクタシステムの構成を概略的に示す。ＰＣ１０において、グラフィックポートに対して無線アダプタ１１が接続される。無線アダプタ１１は、ＰＣ１０において所定のリフレッシュレート（例えば６０Ｈｚ）で更新されグラフィックポートから出力される画像データに対して、通信方式に応じた信号処理を施し、変調して電波としてアンテナ１２から送信する。このとき、無線アダプタ１１は、アンテナ１２により送信される電波の伝送路の状態をモニタし、モニタ結果に応じて画像データによる画質の制御を行い、当該画像データのデータレートを調整することができる。
【００１９】
なお、ＰＣ１０の構成は、一般的なコンピュータの構成と何ら変わるところがないため、説明を省略する。
【００２０】
プロジェクタ２０は、通信部２２、情報処理部２３および表示部２４を含む。通信部２２は、アンテナ２１で受信された電波を復調して元のデータを復元する。例えば、ＰＣ１０から出力された画像データが無線アダプタ１１で変調されアンテナ１２から送信された電波が、アンテナ２１で受信される。通信部２２は、アンテナ２１で受信したこの電波を復調して、元の画像データを復元する。復元された画像データは、情報処理部２３に供給される。
【００２１】
情報処理部２３は、供給された画像データが圧縮符号化されている場合は、圧縮符号を伸張して出力する。また、当該画像データがフレーム間引き処理されている場合は、間引きされたフレームを補間して出力する。情報処理部２３から出力された画像データは、表示部２４に供給されて、スクリーン３０に投影される。
【００２２】
なお、ＰＣ１０とプロジェクタ２０との間の通信は、例えば、ＴＣＰ／ＩＰ(Transmission  Control  Protocol/Internet  Protocol)を通信プロトコルとして用い、ＩＥＥＥ(Institute  Electrical  and  Electronics  Engineers)８０２．１１シリーズに規定される無線ＬＡＮによる無線通信により行うことができる。以下、特に記載のない限り、ＩＥＥＥ８０２．１１シリーズに規定される無線ＬＡＮを、単に無線ＬＡＮと呼ぶ。  
【００２３】
ＰＣ１０とプロジェクタ２０との間の通信の通信方式は、無線ＬＡＮに限られず、例えばＢｌｕｅＴｏｏｔｈ（登録商標）やＷｉＦｉ  Ｄｉｒｅｃｔ（登録商標）といった、装置同士で直接的に無線通信を行うことが可能な方式であってもよい。
【００２４】
図３は、無線アダプタ１１の機能を説明するための一例の機能ブロック図である。無線アダプタ１１は、インターフェイス（Ｉ／Ｆ）１００と、画像処理部１０１と、バッファ１０２と、通信部１０３と、制御部１１０とを含む。
【００２５】
通信部１０３は、制御部１１０の制御に従い、アンテナ１２を介して無線通信を行う。通信部１０３は、通信開始時に通信先とネゴシエーションを行い無線通信を確立する。このとき通信部１０３は、対応可能な通信速度（例えば５４Ｍｂｐｓ、２４Ｍｂｐｓおよび１２Ｍｂｐｓの組）を取得する。また、通信部１０３は、通信中において、再送回数に基づき通信速度を測定し、無線伝送路の状態を把握し、把握した伝送路の状態に応じて、対応可能な通信速度から適切な通信速度を選択する。
【００２６】
制御部１１０は、無線アダプタ１１の動作を制御する。制御部１１０は、通信部１０３で取得された通信速度の情報に従い、画像処理部１０１に対して画像の間引き率や圧縮率を設定する。圧縮率は、例えば非圧縮の状態の画像データのデータサイズに対する、圧縮符号化後の画像データのデータサイズの割合を用いることができる。また、間引き率は、リフレッシュレートで示される１秒間に更新されるフレーム数に対して、間引きを行うフレーム数の割合を用いることができる。
【００２７】
画像処理部１０１は、ＰＣ１０からＩ／Ｆ１００を介して供給された画像データに対して、制御部１１０の制御に従い、間引き処理や圧縮符号化処理などの画像処理を施す。間引き処理および圧縮符号化処理は、何れか一方のみを実行してもよいし、これらを組み合わせて実行してもよい。
【００２８】
一例として、画像データに対して間引き処理を行う場合は、制御部１１０により設定された間引き率に基づき、所定期間毎に画像フレームを間引きする。例えば、画像データのリフレッシュレートが６０Ｈｚ、設定された間引き率が３０％であれば、１秒間に付き１８フレームを、間引き間隔が略等しくなるように間引く。
【００２９】
別の例として、画像データに対して圧縮符号化を行う場合は、例えばＪＰＥＧ(Joint  Photographic  Experts  Group)方式のように、フレームを分割した所定サイズのブロック毎に空間周波数の係数を求め、求めた係数に対して量子化スケールを適用して、画像データの圧縮符号化を行うことが考えられる。この場合、設定された圧縮率に応じて予め定められた量子化テーブルを選択する。
【００３０】
これに限らず、圧縮符号化処理を２パスによる処理とし、１パス目で仮の圧縮符号化処理を行って圧縮率を求め、求めた圧縮率に基づき、制御部１１０により設定された圧縮率になるように圧縮符号化の各パラメータを調整して、２パス目の圧縮符号化処理を行うことも考えられる。また、画像データに対する圧縮符号化は、ＪＰＥＧのような、フレーム毎に圧縮符号化を行う方式に限らず、フレームを分割したブロック毎の圧縮に加え、フレーム間圧縮を行うＭＰＥＧ２(Moving  Pictures  Experts  Group  2)方式や、Ｈ．２６４方式を適用することもできる。
【００３１】
画像処理部１０１から出力された画像データは、バッファ１０２を介して通信部１０３に供給される。画像データをバッファ１０２を介して通信部１０３に供給することで、画像処理部１０１による画像処理速度と、通信部１０３による画像データの送信速度との差が吸収される。
【００３２】
通信部１０３は、バッファ１０２から所定単位毎に画像データを読み出してパケットに詰め込む。それと共に、通信部１０３は、制御部１１０から、画像の間引き率や圧縮率を示す情報を取得して、ヘッダ情報として画像データに付加する。圧縮率を量子化ステップ幅に基づき決めた場合には、対応する量子化テーブルをヘッダ情報に含めることが考えられる。通信部１０３は、このヘッダ情報が付加されたパケットに対して通信方式に応じた変調を施し、アンテナ１２から電波として送信する。
【００３３】
図４は、プロジェクタ２０における情報処理部２３の機能を説明するための一例の機能ブロック図を示す。情報処理部２３は、抽出部２００と、画像処理部２０１と、メモリ２０２と、合成部２０３と、制御部２１０と、表示生成部２１１とを含む。
【００３４】
情報処理部２３において、アンテナ２１で受信された電波が通信部２２で復調され、パケット単位のデジタルデータが復元されて抽出部２００に供給される。抽出部２００は、供給されたデータからパケットのヘッダ情報と、パケット本体に格納された画像データとを抽出する。画像データは、画像処理部２０１に供給され、ヘッダ情報は、制御部２１０に供給される。
【００３５】
制御部２１０は、抽出部２００から供給されたヘッダ情報から間引き率や圧縮率を取り出す。そして、取り出した間引き率や圧縮率に従い、画像処理部２０１による画像処理を制御する。また、制御部２１０は、表示生成部２１１に対し、取り出した間引き率や圧縮率を表示するための表示画像（以降、画質表示画像と呼ぶ）を生成するように命令する。表示生成部２１１は、この制御部２１０からの命令に従い、画質表示画像を表示するための画質表示画像データを生成し、合成部２０３に供給する。
【００３６】
画像処理部２０１は、抽出部２００から供給された画像データを一旦メモリ２０２に溜め込む。画像処理部２０１は、メモリ２０２に所定量の画像データが溜め込まれると、この画像データに対して、制御部２１０から供給された間引き率や圧縮率に従い所定の画像処理を施す。
【００３７】
例えば、ヘッダ情報から間引き率が抽出された場合、間引き率に基づき、１秒間のフレーム数および各フレームの表示タイミングが制御される。間引きされたタイミングでは、例えば直前のフレームの画像が繰り返される。これに限らず、間引きされたタイミングに対し、前後のフレームの画像から補間して生成した画像を挿入してもよい。
【００３８】
また例えば、ヘッダ情報から圧縮率および量子化テーブルが抽出された場合、画像データの各フレームに対して量子化テーブルを用いて逆量子化処理を施し、さらに例えば逆ＤＣＴを施して、フレームの画像データを復号する。
【００３９】
画像処理部２０１から出力されたフレーム毎の画像データは、合成部２０３に供給され、表示生成部２１１で生成された画質表示画像データと合成されて表示部２４に対して出力される。合成部２０３は、例えば画像処理部２０１から供給された１フレームの画像データによる所定領域の画素を、表示生成部２１１で生成された画質表示画像データの画素で置き換えることで、画像の合成を行う。
【００４０】
表示部２４は、情報処理部２３から供給された画像データによる画像を、スクリーン３０といった表示媒体に投影させる。
【００４１】
図５は、無線アダプタ１１における一例の通信処理を示すフローチャートである。ステップＳ１００で、通信の開始に伴い、通信部１０３が通信相手である通信部２２との間で所定のネゴシエーションを行い、通信を確立する。
【００４２】
次のステップＳ１０１で、通信部１０３が、対応する通信速度を示す情報を取得する。例えば、通信部１０３は、対応する通信速度として、５４Ｍｂｐｓ、２４Ｍｂｐｓおよび１２Ｍｂｐｓといった、段階的に変化する複数の通信速度の組を取得する。通信部１０３は、制御部１１０の制御に従い、これらの通信速度から１の通信速度を選択して、通信を行うことができる。次に、ステップＳ１０２で、通信部１０３が、通信速度の初期設定を行う。例えば、通信部１０３は、ステップＳ１０１で取得した通信速度から最も高速な通信速度を選択して、初期の通信速度とする。
【００４３】
次のステップＳ１０３で、制御部１１０が、画像処理部１０１に対して、画像データの間引き率または圧縮率の初期設定を行う。例えば、画像データの間引きを行う場合には、間引き率０％（間引きを行わない状態）を、圧縮符号化を行う場合には、圧縮率０％（圧縮符号化を行わない状態）を初期設定とすることが考えられる。なお、以下では、特に記載のない限り、画像処理部１０１ではフレームの間引き処理を行うものとし、制御部１１０は、画像処理部１０１に対して間引き率を設定するものとする。
【００４４】
次のステップＳ１０４で、指定された通信速度および間引き率での画像データ送信処理が開始される。例えば、ＰＣ１０のグラフィックポートから所定のリフレッシュレートで更新されて出力されたフレーム毎の画像データが無線アダプタ１１に入力され、インターフェイス１００を介して画像処理部１０１に供給される。画像処理部１０１は、供給された画像データから、制御部１１０に設定された間引き率に従いフレームを間引く。フレームを間引かれた画像データは、バッファ１０２に一時的に格納される。通信部１０３は、バッファ１０２から所定量の画像データを読み出し、パケットに詰め込むと共に、間引き率を示す情報を含むヘッダ情報をパケットに付加する。このヘッダ情報が付加されたパケットが通信方式に応じて変調処理など施されて、アンテナ１２から電波として送信される。
【００４５】
次のステップＳ１０５で、通信部１０３により通信速度が計測される。例えば、通信部１０３は、通信相手である通信部２２から通信の応答であるＡＣＫを受信する。そして、通信に失敗してＡＣＫが受信されなかった場合に再送信を行った回数を、単位時間当たりで測定する。測定結果は、制御部１１０に渡される。次のステップＳ１０６で、制御部１１０が、通信速度の計測結果に基づき通信速度を更新し、更新された通信速度を通信部１０３に設定する。
【００４６】
例えば、制御部１１０は、ステップＳ１０５で計測された再送信数が所定数以上である場合に、伝送路の状態が良くないと判定し、通信速度を１段階低い速度に変更し、通信速度の更新を行う。また、制御部１１０は、計測された再送信数が他の所定数以下である場合に、伝送路の状態が良好であると判定して、通信速度を１段階高い速度に変更することもできる。
【００４７】
次に、ステップＳ１０７で、制御部１１０が、ステップＳ１０６で設定された通信速度に基づき、画像データのデータレートが当該通信速度内に収まるように、画像データによる画像の画質を制御するパラメータを更新し、更新されたパラメータを画像処理部１０１に設定する。
【００４８】
画像データの画質を制御するパラメータは、本実施形態の例では、間引き率や圧縮率である。すなわち、ステップＳ１０６で通信速度がより低い速度に更新された場合には、間引き率や圧縮率を上げる。この場合、画像処理部１０１で間引きまたは圧縮符号化された画像データのデータレートが下がり、より低い通信速度での通信が可能となる一方で、当該画像データによる画像の画質が低下する。また、ステップＳ１０６で通信速度がより高い速度に更新された場合には、間引き率や圧縮率を下げる。この場合、画像処理部１０１で間引きまたは圧縮符号化された画像データのデータレートが上がり、当該画像データによる画像の画質が向上する。
【００４９】
間引き率や圧縮率といった、画質を制御するパラメータは、通信部１０３が対応可能な複数の通信速度に応じて予め複数を用意しておくことができる。制御部１１０は、ステップＳ１０６で設定された通信速度に対応するパラメータを選択して、画像処理部１０１に設定する。
【００５０】
ステップＳ１０７で画像データによる画像の画質を制御するパラメータ、例えば間引き率や圧縮率の更新が行われると、処理がステップＳ１０８に移行される。ステップＳ１０８では、通信部１０３が、ステップＳ１０７で設定された間引き率や圧縮率で間引きや圧縮符号化が行われて画像処理部１０１から出力された画像データを送信する。このとき、通信部１０３は、ヘッダ情報として、ステップＳ１０７で設定された間引き率や圧縮率を示す情報を画像データに対して付加して、送信する。
【００５１】
次のステップＳ１０９で、制御部１１０は、ＰＣ１０からの画像データの供給が停止され、プロジェクタ２０による投影を終了させるか否かが判定される。若し、投影を終了させると判定された場合、図５のフローチャートによる一連の処理が終了される。一方、ＰＣ１０からの画像データの供給が継続されている場合、プロジェクタ２０による投影を終了させないと判定され、処理がステップＳ１０５に戻される。
【００５２】
なお、ステップＳ１０５〜ステップＳ１０９のループ処理は、数フレーム毎、数１０フレーム毎など、所定間隔で繰り返される。また、ステップＳ１０９による判定処理を省略し、単にステップＳ１０８からステップＳ１０５に戻るループ処理としてもよい。
【００５３】
図６は、プロジェクタ２０における一例の通信処理を示すフローチャートである。なお、図６のフローチャートによる処理の実行に先立って、無線アダプタ１１とプロジェクタ２０との間では、ネゴシエーションが既に実行され、通信が確立されているものとする。
【００５４】
ステップＳ２００で、上述した図５のフローチャートに従い、画像データに対して必要に応じて間引き処理や圧縮符号化処理が施され、無線アダプタ１１から送信されたデータが、通信部２２に受信される。受信された受信データは、情報処理部２３に入力され、抽出部２００に供給される。
【００５５】
次のステップＳ２０１で、抽出部２００は、通信部２２から供給された受信データのヘッダ情報から間引き率や圧縮率を示す情報を抽出し、制御部２１０に渡す。また、抽出部２００は、当該受信データから画像データを取り出して、画像処理部２０１に供給する。
【００５６】
次のステップＳ２０２で、制御部２１０が、抽出部２００で受信データから抽出され渡された間引き率や圧縮率を示す情報に基づき、画像処理部２０１に対して、間引き率や圧縮率を設定する。画像処理部２０１は、次のステップＳ２０３で、抽出部２００から供給された画像データに対して、設定された間引き率や圧縮率に基づき画像処理を施し、次のステップＳ２０４で、画像処理が施された１フレーム分の画像データを出力する。出力されたこの画像データは、合成部２０３に供給される。
【００５７】
次のステップＳ２０５で、制御部２１０は、抽出部２００から渡された間引き率や圧縮率を示す情報に基づき、表示生成部２１１に対して、間引き率や圧縮率を示す画質表示画像を生成するように命令する。表示生成部２１１は、この命令に従い、画質表示画像を表示するための画質表示画像データを生成する。生成された画質表示画像データは、合成部２０３に供給される。
【００５８】
次のステップＳ２０６では、合成部２０３により、画像処理部２０１から供給された１フレームの画像データに対して、表示生成部２１１から供給された画質表示画像データが合成される。例えば、合成部２０３は、上述したように、画像処理部２０１から供給された１フレームの画像データの所定領域の画素を、画質表示画像データの画素と置き換えることで、画像の合成を行う。
【００５９】
図７は、合成部２０３でフレーム画像３１に対して画質表示画像３２が合成されてスクリーン３０に投影された例を示す。フレーム画像３１の一部の領域に、圧縮率が示された画質表示画像３２が表示されているのが分かる。合成部２０３で１フレームの画像データに画質表示画像３２が合成された画像データは、表示部２４に供給され、例えばスクリーン３０に表示される。なお、画質表示画像３２は、フレーム画像３１の本来の表示の妨げにならないように、その大きさおよび位置が決められる。
【００６０】
次のステップＳ２０７で、制御部２１０は、プロジェクタ２０における画像データによる画像のスクリーン３０に対する投影が終了したか否かが判定される。例えば、プロジェクタ２０に設けられた操作部（図示しない）に対する投影終了を指示する操作があった場合に、投影が終了したと判定することができる。若し、終了したと判定された場合、図６のフローチャートによる一連の処理が終了される。一方、投影が終了していないと判定された場合、処理がステップＳ２００に戻される。
【００６１】
ステップＳ２０５で生成される画質表示画像３２は、図７を用いて説明した例の他にも、様々な形態が考えられる。図８は、画質表示画像３２のバリエーションの例を示す。図８（ａ）は、文字情報にて間引き率（圧縮率）を表示した画質表示画像３２の例を示す。
【００６２】
これに対して、図８（ｂ）および図８（ｃ）は、それぞれグラフィクスを用いて間引き率や圧縮率を表示した画質表示画像３２の例である。グラフィクスを用いることで、間引き率や圧縮率を直感的に把握することができる。
【００６３】
図８（ｂ）は、例えば圧縮率を表示する場合において、非圧縮状態の画像データのデータレート（１００％）に対する、圧縮符号化後の画像データのデータレート（３０％）の割合（すなわち圧縮率）を表示する例である。この例では、画質表示画像３２の横幅が１００％を示し、境界４０の位置が例えば３０％を示している。
【００６４】
図８（ｃ）は、例えば圧縮率を表示する場合において、通信部１０３および通信部２２の間での通信速度の、仕様上の最大速度で通信可能な第１のデータレートを画質表示画像３２の横幅とした例である。この例では、第１のデータレートに対する、通信部１０３および通信部２２間のネゴシエーションで得られた最大速度に対応する第２のデータレートの割合（境界４２）と、現在の通信速度で通信可能な第３のデータレートの割合（境界４１）とを示している。この場合、境界４２および境界４１の位置関係から、間接的に画像データの圧縮率を知ることができる。
【００６５】
なお、上述では、プロジェクタ２０において、無線アダプタ１１側で画像データと共に送信した、間引き率や圧縮率といった画質制御情報に基づき画質表示画像３２を生成するとして説明したが、これはこの例に限定されない。例えば、無線通信による接続状態を、画質表示画像３２として表示させてもよい。一例として、プロジェクタ２０側で、制御部２１０が画像の更新の有無を監視し、所定期間内に更新が無い場合に、無線通信が切断された旨を示す情報を画質表示画像３２として表示させる。
【００６６】
このように、本発明の実施形態によれば、プロジェクタ２０は、無線通信の伝送路の状態に応じて設定され、画像データと共に送信された、当該画像データの画質を示す表示を、当該画像データによる画像に対して合成してスクリーン３０に投影する。そのため、ユーザは、現在スクリーン３０に投影されている画像の品質が低下している場合であっても、この品質低下が画像データの送信元が原因で発生したものか、無線通信の伝送路の状態が原因で発生したものかを容易に知ることができる。
【００６７】
すなわち、通常、ＰＣ１０などの情報端末において、ＰＣ１０自身のディスプレイに対して無線通信による電波強度や伝送レートの表示を行うことで、現在の無線伝送路の品質をユーザーに通知することが可能である。一方、ＰＣ１０から送信する画像データをプロジェクタ２０で表示する場合には、この無線伝送路の品質を示す情報を、プロジェクタ２０によりスクリーン３０に表示させる必要があると考えられる。
【００６８】
一方、例えば無線通信が切断された状態では、ＰＣ１０側に表示された無線伝送路の品質を示す情報を、スクリーン３０上の表示から把握することができない。そのため、スクリーン３０を見ているユーザは、スクリーン３０上の画像の更新が停止した原因が、無線伝送路の切断によるものか、ＰＣ１０側の原因によるものかの判別を行うことが困難であり、混乱を来してしまうおそれがある。
【００６９】
本発明の実施形態では、スクリーン３０上に画質表示画像３２を表示させているので、例えスクリーン３０上の画像の更新が停止した場合であっても、その原因が無線伝送路側およびＰＣ１０側の何れにあるのかを容易に判別することができる。例えば、画質表示画像３２が示す間引き率や圧縮率が低下していないのに画像の更新が停止した場合は、ＰＣ１０側に原因があると考えることができる。
【００７０】
（実施形態に適用可能なプロジェクタの構成例）
図９は、上述した実施形態に適用可能なプロジェクタ３００の一例の構成を示す。プロジェクタ３００において、バス３０１に対して、ＣＰＵ３１０、ＲＯＭ３１１、ＲＡＭ３１２、表示制御部３１３、通信部３１４、入力Ｉ／Ｆ（インターフェイス）３１５および操作部３１６が互いに通信可能に接続される。
【００７１】
ＣＰＵ３１０は、ＲＯＭ３１１に予め記憶されるプログラムに従い、ＲＡＭ３１２をワークメモリとして用いて、このプロジェクタ３００の全体の動作を制御する。すなわち、ＣＰＵ３１０、ＲＯＭ３１１およびＲＡＭ３１２は、例えば図４における制御部２１０に対応する。ＣＰＵ３１０上で動作するプログラムにより、抽出部２００、画像処理部２０１、合成部２０３および表示生成部２１１などが構成される。メモリ２０２は、ＲＡＭ３１２の一部の領域を用いることができる。不揮発性の半導体メモリや、ハードディスクドライブをさらに設けてもよい。
【００７２】
表示制御部３１３は、ＣＰＵ３１０により生成された表示制御信号を、表示部３２０が表示可能な表示信号に変換する。表示部３２０は、図２における表示部２４に対応し、例えば、光源と、ＲＧＢ各色のカラーフィルタを組み込んだ液晶パネルと、ＲＧＢ各色の液晶パネルから出射される光を合成するプリズムと、レンズなど光学部品とを組み合わせた光学系と、表示画像データに基づき液晶パネルを駆動する駆動回路とを備える。表示部３２０において、光源から出射される光は、ダイクロイックミラーなどによりＲＧＢ各色の光に分離され、各色のカラーフィルタを組み込んだ液晶パネルに入射される。ＲＧＢ各色の光は、駆動回路により駆動される液晶パネルに制御され、プリズムによりＲＧＢ各色の光が合成されレンズなどを介して光学系から出射される。光学系から出射された光は、例えばスクリーン３０といった表示媒体に投影される。
【００７３】
通信部３１４は、図２における通信部２２に対応し、ＣＰＵ３１０の制御により、無線ＬＡＮなど、所定の通信方式で無線通信を行う。入力Ｉ／Ｆ３１５は、ＵＳＢ(Universal  Serial  Bus)など汎用のデータ通信インターフェイスである。プロジェクタ３００で投影する画像データを、この入力Ｉ／Ｆ３１５から供給することもできる。操作部３１６は、このプロジェクタ３００を操作するための操作子や表示素子などが設けられ、操作子に対するユーザ操作に応じた制御信号をＣＰＵ３１０に対して出力する。
【符号の説明】
【００７４】
１０  ＰＣ
１１  無線アダプタ
１２，２１  アンテナ
２０  プロジェクタ
２２  通信部
２３  情報処理部
２４  表示部
３０  スクリーン
３２  画質表示画像
１００  インターフェイス
１０１  画像処理部
１０２  バッファ
１０３  通信部
１１０，２１０  制御部
２００  抽出部
２０１  画像処理部
２０２  メモリ
２０３  合成部
２１１  表示生成部
【先行技術文献】
【特許文献】
【００７５】
【特許文献１】特開２００４−３２０３９６号公報
【図１】
0006269708.tif 000002
【図２】
0006269708.tif 000003
【図３】
0006269708.tif 000004
【図４】
0006269708.tif 000005
【図５】
0006269708.tif 000006
【図６】
0006269708.tif 000007
【図７】
0006269708.tif 000008
【図８】
0006269708.tif 000009
【図９】
0006269708.tif 000010